(57)【要約】【課題】管理者による設定データの作成を省略し、通信網に接続している多重化装置の監視情報の掌握が簡易にできる監視システムを提供することを目的とする。【解決手段】本発明にかかる多重回線監視システム１は、通信回線の多重化を行う多重化装置２０と、多重化装置と接続し多重化装置の設定を行う設定用端末３０と、設定用端末３０と通信網を通じて接続し、多重化装置２０の監視をする監視装置４０とを備える。そして、監視装置４０は、設定用端末３０が記憶した多重化装置に関する第１の監視情報に変更があった場合に第１の監視情報に基づいて自身が有する第２の監視情報を更新する。【選択図】図１
2014187471.tif 000002
【特許請求の範囲】
【請求項１】
通信回線の多重化を行う多重化装置と、
前記多重化装置と接続し前記多重化装置の設定を行う設定用端末と、
前記設定用端末と通信網を通じて接続し、前記多重化装置の監視をする監視装置とを備える多重回線監視システムであって、
前記監視装置は、前記設定用端末が記憶した前記多重化装置に関する第１の監視情報に変更があった場合に前記第１の監視情報に基づいて自身が有する第２の監視情報を更新する、
多重回線監視システム。
【請求項２】
通信回線の多重化を行う多重化装置と接続して前記多重化装置の設定を行う設定用端末と通信網を通じて接続し、前記多重化装置の監視をする監視装置であって、
前記設定用端末が記憶した前記多重化装置に関する第１の監視情報に変更があった場合に前記第１の監視情報に基づいて自身が有する第２の監視情報を更新する、
監視装置。
【請求項３】
前記第２の監視情報は、設定用端末が前記多重化装置又は前記多重化装置に接続している端末の設定を変更した場合の接続情報と、前記多重化装置又は前記多重化装置に接続している前記端末に故障が発生した場合の故障情報とを含む、
請求項２に記載の監視装置。
【請求項４】
前記故障情報の更新があった場合に前記第１の監視情報に基づいて故障箇所を特定する、
請求項３に記載の監視装置。
【請求項５】
前記第２の監視情報の更新があった場合に、前記第１の監視情報に基づいて前記第２の監視情報を画面情報として表示する、
請求項２〜４いずれか１項に記載の監視装置。
【請求項６】
設定用端末が記憶した多重化装置に関する第１の監視情報に変更があった場合に前記第１の監視情報に基づいて自身が有する第２の監視情報を更新する、
監視装置の制御方法。
【請求項７】
前記第２の監視情報は、設定用端末が前記多重化装置又は前記多重化装置に接続している端末の設定を変更した場合の接続情報と、前記多重化装置又は前記多重化装置に接続している前記端末に故障が発生した場合の故障情報とを含む、
請求項６に記載の監視装置の制御方法。
【請求項８】
前記故障情報の更新があった場合に前記第１の監視情報に基づいて故障箇所を特定する、
請求項７に記載の監視装置の制御方法。
【請求項９】
前記第２の監視情報の更新があった場合に、前記第１の監視情報に基づいて前記第２の監視情報を画面情報として表示する、
請求項６〜８いずれか１項に記載の監視装置の制御方法。
【請求項１０】
設定用端末が記憶した多重化装置に関する第１の監視情報に変更があった場合に前記第１の監視情報に基づいて自身が有する第２の監視情報を更新する、
監視装置の制御方法をコンピュータに実行させるプログラム。
【発明の詳細な説明】
【技術分野】
【０００１】
本発明は多重回線監視システム、監視装置、監視方法及びプログラムに関する。
【背景技術】
【０００２】
ユーザの拠点間等の通信手段として高速デジタル回線を用いる場合がある。この回線コストの低減化のため、１本あたりの回線の利用効率を高めることが重要である。回線の利用効率を高めるための手段として１本の回線を複数の端末で通信可能とする多重化装置がある。そして、多重化装置を監視する方法として、多重化装置に接続している監視用端末を用いて装置情報を収集し、多重化装置の監視を行う監視制御システムがある。
【０００３】
複数の多重化装置の接続情報は、いずれもオペレータが操作して設定する。これらの設定作業は、各多重化装置ごとに実施する必要がある。このため、接続情報の変更があった場合、各多重化装置の接続情報をそれぞれ監視することは非常に煩雑となる。
また、ネットワークの障害を検出する手段として、特許文献１のネットワーク情報解析方法がある。
【先行技術文献】
【特許文献】
【０００４】
【特許文献１】国際公開２００６／０９５４１２号
【発明の概要】
【発明が解決しようとする課題】
【０００５】
これまでは、多重化装置の設定データの作成者とは別に回線障害等を監視する監視装置のデータ管理者を配置し、多重化構成（回線）の変更がある度に、多重化装置の設定変更に合わせて監視装置側の設定も変更が必要であった。この設定を簡略化するため、故障による障害情報を簡易化する方法がある。しかし、監視装置のデータ管理者への負担を軽減しようとして障害情報を簡易化すると、障害時の障害部位や対象回線の解析が困難になるという課題がある。
【０００６】
特許文献１の手段によると、最新のネットワーク状態を解析できるが、ネットワークに接続している端末等設定変更については解析していない。
また、多重化装置の監視システムにおいて、多重化装置の設定変更に伴って、監視装置側のデータ作成及び変更も必要となる。この場合に、多重化装置についての知識がない者が通信網に接続している全ての回線構成を理解し、全ての監視装置の設定項目・データを策定するのは困難であるという課題がある。
【０００７】
本発明は、管理者による設定データの作成を省略し、通信網に接続している多重化装置の監視情報の掌握が簡易にできる監視システムを提供することを目的とする。
【課題を解決するための手段】
【０００８】
一態様にかかる多重回線監視システムは、通信回線の多重化を行う多重化装置と、前記多重化装置と接続し前記多重化装置の設定を行う設定用端末と、前記設定用端末と通信網を通じて接続し、前記多重化装置の監視をする監視装置とを備える。そして、前記監視装置は、前記設定用端末が記憶した前記多重化装置に関する第１の監視情報に変更があった場合に前記第１の監視情報に基づいて自身が有する第２の監視情報を更新する。
【０００９】
一態様にかかる監視装置は、通信回線の多重化を行う多重化装置と接続して前記多重化装置の設定を行う設定用端末と通信網を通じて接続し、前記多重化装置の監視をする監視装置である。そして、前記設定用端末が記憶した前記多重化装置に関する第１の監視情報に変更があった場合に前記第１の監視情報に基づいて自身が有する第２の監視情報を更新する。
【００１０】
一態様にかかる監視装置の制御方法は、設定用端末が記憶した前記多重化装置に関する第１の監視情報に変更があった場合に前記第１の監視情報に基づいて自身が有する第２の監視情報を更新する。
【００１１】
一態様にかかるプログラムは、設定用端末が記憶した前記多重化装置に関する第１の監視情報に変更があった場合に前記第１の監視情報に基づいて自身が有する第２の監視情報を更新する、監視装置の制御方法をコンピュータに実行させる。
【発明の効果】
【００１２】
本発明によると、管理者による設定データの作成を省略し、通信網に接続している多重化装置の監視情報の掌握が簡易にできる監視システムを提供することが可能となる。
【図面の簡単な説明】
【００１３】
【図１】本発明の実施の形態１の多重回線監視システム１を示した図である。
【図２】通信網を通じて複数の多重化装置が監視装置４０に接続している様子を示した図である。
【図３】本発明の実施の形態１の多重化装置２０と、設定用端末３０の内部構成を示したブロック図である。
【図４】監視装置４０の内部構成を示したブロック図である。
【図５】監視装置４０が接続情報を更新する処理を示したフローチャートである。
【図６】監視装置４０が故障情報を更新する処理を示したフローチャートである。
【図７】監視装置４０が故障箇所を特定する処理を示したフローチャートである。
【図８】監視装置４０の画面表示アプリケーションで表示される接続情報、故障情報画面を示す図である。
【図９】多重回線監視システム１の接続情報、故障情報画面を表示するためのシーケンス図である。
【発明を実施するための形態】
【００１４】
実施の形態１
図１は、本発明の実施の形態である、多重回線監視システム１を示した図である。多重回線監視システム１は、データ伝送において通信回線の多重化を行う複数の多重化装置２０と、多重化装置２０の設定を行う複数の設定用端末３０と、多重化装置２０の接続情報や故障情報を監視する監視装置４０とを備える。多重化装置２０及び設定用端末３０は各拠点ごとに設置され、通信網を通じて監視装置４０と接続している。即ち、複数の多重化装置２０及び複数の設定用端末３０が通信網を通じて監視装置４０に接続している。図２は、通信網を通じて複数の多重化装置２０が監視装置４０に接続している様子を示した図である。
【００１５】
図３に示すように、多重化装置２０は、複数の多重回線２３と、複数の端末回線２４とを備える。図３は、多重化装置２０と、設定用端末３０の内部構成を示したブロック図である。多重化装置２０は、複数の端末５０からの信号を、端末回線２４を通じて入力し、入力した複数の信号を多重化して多重回線２３で出力する多重化部２１と、多重化部２１を制御する多重化制御部２２とを備える。多重化装置２０は、複数の通信端末の通信を一つの共有する伝送路（多重回線）で信号を多重化して送信する装置であり、マルチプレクサ（ＭＵＸ：Multiplexer）とも言う。多重化方法は例えば、空間分割多重化（ＳＤＭ：Space Division Multiplexing）、周波数分割多重化（ＦＤＭ：Frequency Division Multiplexing）、時分割多重化（ＴＤＭ：Time Division Multiplexing）、符号分割多重化（ＣＤＭ：Code Division Multiplex）等がある。
【００１６】
多重化装置２０の入力側は、複数の多重回線２３に接続している。そして、多重回線２３は、多重化部２１を介してさらに複数の端末回線２４に接続している。端末回線２４は端末５０に接続している。多重化装置２０の出力側は多重化した信号を伝送する伝送路である複数の多重回線２３に接続している。多重回線２３は、端末回線２４より少ない回線数である。複数の端末５０が同時に通信する場合、多重化装置２０は、複数の端末５０からの複数の信号を、端末回線２４を通じて多重化部２１に入力する。
【００１７】
多重化制御部２２は、多重化部２１を制御して複数の信号を多重化し、多重回線２３から多重化した信号を出力する。多重化制御部２２は、設定用端末３０に接続している。多重化制御部２２は、設定用端末３０からの入力情報を用いて端末５０と多重回線２３との接続状態を変更する。また、新たに端末回線２４を接続した場合、設定用端末３０からの入力情報を用いて端末５０と多重回線２３との接続状態を設定する。
【００１８】
この端末の設定や端末と多重化装置との接続状態を表す情報を接続情報とする。多重化制御部２２は、端末５０と多重回線２３との接続情報を出力し、設定用端末３０に送信する。また、多重化制御部２２は、端末５０や多重回線２３、端末回線２４等に故障がある場合、故障情報を出力し、設定用端末３０に送信する。上記の装置構成は１例であり、これに限定されるものではない。以下、接続情報と故障情報とをまとめる場合は監視情報とする。
【００１９】
図３に示すように、設定用端末３０は、ユーザの操作により端末５０と多重回線２３との接続情報を設定、変更する設定制御部３１と、接続情報や故障情報を記憶する設定制御部３１とを備える。設定用端末３０は、多重化装置２０に直接接続しているか、又は通信網を通じて接続していてもよい。また、設定用端末３０を、多重化装置２０の内部に設置してもよい。設定制御部３１は、ユーザの操作により、端末５０と多重回線２３との接続状態を変更する命令を多重化制御部２２に入力する。また、設定制御部３１は、新たに端末回線２４を接続した場合、ユーザの操作により、端末５０と多重回線２３との接続状態を設定する命令を多重化制御部２２に入力する。また、設定制御部３１は、多重化制御部２２が出力する接続情報と故障情報をモニタして設定記憶部３２に記憶する。
【００２０】
また、設定制御部３１は、接続情報と故障情報とを設定記憶部３２から読み出し、監視装置４０に送信する。接続情報は、例えば、端末識別情報、認証情報、端末５０と端末５０との接続可否情報、接続状態情報等である。故障情報は、例えば、端末５０と多重化装置２０との間の回線の不通情報、多重化装置２０と他の多重化装置２０との不通情報、端末５０又は多重化装置２０の故障状態等である。
【００２１】
設定制御部３１は、上記の監視情報を設定記憶部３２から読み出し、監視装置４０に通信網を通じて送信する。情報の送信は情報の全てを送信してもよいし、通信負荷の低減化のため、上記情報の設定の変更があった場合に変更箇所を抽出して情報の差分のみを送信してもよい。送信は定期的な送信の他、上記情報の設定の変更があった場合に送信するという方法を用いてもよい。また、設定制御部３１は、監視装置４０からの送信命令があった場合も監視情報を設定記憶部３２から読み出し、監視装置４０へ送信を行う。上記の装置構成は１例であり、多重化装置２０の設定、情報の送受信が可能であれば他の構成を用いてもよい。
【００２２】
図４は、監視装置４０の内部構成を示したブロック図である。監視装置４０は、設定用端末３０が送信した監視情報を監視し、表示部４３に表示させる制御をする監視制御部４１と、設定用端末３０が送信した監視情報を記憶する監視記憶部４２と、監視情報を表示する表示部４３とを備える。監視制御部４１は、設定用端末３０が送信した監視情報を受信すると、これらの情報を監視記憶部４２に記憶し、監視装置４０が有する監視情報を更新する。
【００２３】
また、監視制御部４１は、ユーザの操作によっても多重化装置２０をモニタし、監視情報を監視記憶部４２に記憶する。監視制御部４１は、監視記憶部４２に記憶した情報を読み出し、目的別に解析する。例えば、接続情報として、端末５０と多重化装置２０との回線の接続状態や回線構成、故障情報として、故障端末、故障回線等の情報を解析し、これらの監視情報を監視記憶部４２に記憶し、監視装置４０が有する監視情報を更新する。
【００２４】
監視制御部４１は、監視情報を監視記憶部４２から読み出し、表示部４３に表示させる。該表示は一定時間ごとに表示部４３に表示してもよい。また、監視制御部４１は、ユーザの操作に従って監視情報を監視記憶部４２から読み出し、表示部４３に表示させてもよい。監視制御部４１が表示部４３に表示させる表示方法として、例えば、テキスト、描画、表、等がある。
【００２５】
監視制御部４１は、接続情報を監視する。監視制御部４１は、多重化装置２０に関する情報を収集することにより多重回線２４に関する管理を行う。監視制御部４１は、設定用端末３０がモニタした接続情報を受信した場合、接続情報の変更箇所を解析して変更発生箇所を特定し、監視記憶部４２に記憶し、変更箇所を表示部４３に表示させる。監視記憶部４２は、変更後の通信（多重化経路）パターン、変更後に通信が可能な多重化装置２０間の多重化経路との対応関係を示す変更情報を記憶する。監視装置４０は、以上の処理により、接続情報を更新する。
【００２６】
監視制御部４１は、故障情報を監視する。監視制御部４１は、多重化装置２０に関する情報を収集することにより多重回線２４に関する管理を行う。監視制御部４１は、設定用端末３０がモニタした故障情報を受信した場合、通信可否状況を収集して故障発生箇所を特定し、監視記憶部４２に記憶し、障害を表示部４３に表示させる。この監視記憶部４２は、通信（多重化経路）パターン、故障発生時の故障箇所と故障発生時に通信が可能な多重化装置２０間の多重化経路との対応関係を示す故障情報を記憶する。監視装置４０は、以上の処理により、故障情報を更新する。
【００２７】
処理の説明
次に、多重回線監視システム１の処理の説明を以下に示す。図５は、監視装置４０が接続情報を更新する処理を示したフローチャートである。監視制御部４１は、多重化装置２０の接続情報を収集する（Ｓ１００）。多重化装置２０の設定変更した接続情報を受信した場合（Ｓ１０１：Ｙｅｓ）、監視制御部４１は、この接続情報を監視記憶部４２に記憶し、変更箇所を特定し変更後の多重回線監視システム１の状態を解析し表示部４３に表示させる（Ｓ１０２）。監視制御部４１は、設定変更した接続情報を受信しない場合（Ｓ１０１：Ｎｏ）、最新の多重回線監視システム１の状態を解析し表示部４３に表示させる（Ｓ１０３）。
【００２８】
次に、監視装置４０が故障情報を更新する処理を説明する。図６は、監視装置４０が故障情報を更新する処理を示したフローチャートである。監視制御部４１は、多重化装置２０の故障情報を収集する（Ｓ２００）。多重化装置２０の故障情報を受信した場合（Ｓ２０１：Ｙｅｓ）、監視制御部４１は、この故障情報を監視記憶部４２に記憶し、故障箇所を特定し表示部４３に表示させる（Ｓ２０２）。監視制御部４１は、故障情報を受信しない場合（Ｓ２０１：Ｎｏ）、最新の多重回線監視システム１の状態を解析し表示部４３に表示させる（Ｓ２０３）。
【００２９】
次に、故障情報を受信した場合の故障箇所の特定処理について説明する。図７は、監視装置４０が故障箇所を特定する処理を示したフローチャートである。
監視制御部４１は、多重化装置２０または端末５０が動作停止しているか否かを解析する（Ｓ３００）。
【００３０】
多重化装置２０または端末５０が動作停止していると判定した場合（Ｓ３０１：Ｙｅｓ）、監視制御部４１は、動作停止した多重化装置２０または端末５０を監視記憶部４２に記憶し、表示部４３に表示させる。（Ｓ３０２）。多重化装置２０または端末５０が動作停止していないと判定した場合（Ｓ３０１：Ｎｏ）、監視制御部４１は、多重回線２３又は端末回線２４の故障か否かを判定する（Ｓ３０３）。
【００３１】
多重回線２３又は端末回線２４の故障であると判定した場合（Ｓ３０３：Ｙｅｓ）、監視制御部４１は、故障が発生した多重回線２３又は端末回線を特定し、故障箇所情報を監視記憶部４２に記憶し、表示部４３に表示させる（Ｓ３０４）。多重回線２３又は端末回線２４の故障ではないと判定した場合（Ｓ３０３：Ｎｏ）、監視制御部４１は、設定用端末３０から最新の故障情報を受信し監視記憶部４２に記憶し、故障情報を更新し、表示部４３に表示させる（Ｓ３０５）。
【００３２】
上記の監視処理は多重化装置２０ごとに行なっても良いし、多重回線２３ごと、多重化経路ごと、あるいは端末グループごとに行なっても良い。端末グループとは例えば、企業の部署や、端末の種類や、ＶＰＮ（Virtual Private Network）、ＶＡＮ（Value Added Network）ユーザ等である。また、複数の多重化装置を含むエリアごとに監視を行なっても良い。いずれの処理によっても監視装置４０は、上述したような処理により、多重回線監視システム１に接続している全ての多重化装置２０の監視情報を集約することができる。
上記の処理は１例であり、接続情報の更新や、故障箇所の特定、故障情報の更新が可能であれば他の処理方法を用いてもよい。
【００３３】
実施の形態２
以下、多重回線監視システム１が多重化装置２０をモニタし、接続情報、故障情報の監視情報を画面情報として変換処理し、表示部４３に描画して表示する例を説明する。
【００３４】
図８は監視装置４０に表示される接続情報、故障情報画面を示す図である。図８Ａは監視装置４０に表示される接続情報を示す図である。図８Ｂは監視装置４０に表示される故障情報を示す図である。図９は、多重回線監視システム１の接続情報、故障情報画面を表示するためのシーケンス図である。図９を参照して本発明の一実施例による多重回線監視システムの処理について説明する。
【００３５】
多重回線監視システム１は接続情報、故障情報を監視し、監視装置４０の表示部４３に表示する。以下の説明は、接続情報、故障情報をまとめて監視情報とする。監視装置４０で画面表示アプリケーションを起動すると、画面表示アプリケーションの画面として表示部４３に表示する（Ｓ４００）。
【００３６】
監視装置４０は画面表示アプリケーションを起動すると、監視制御プログラムを起動する（Ｓ４０１）。監視装置４０は、監視制御プログラム７０を起動すると、監視制御プログラム７０からの画面情報の受信待ち受け状態となる（Ｓ４０２）。監視制御プログラム７０は、多重化装置３からの監視情報の受信待ち受け状態となっている（Ｓ４０３）。該プログラムの起動は監視装置４０で行なっても良いし、ネットワーク（通信網）で接続しているサーバで起動してもよい。監視装置４０は、監視制御プログラム７０に画面の表示要求を行う（Ｓ４０４）。
【００３７】
監視制御プログラム７０は画面の表示要求を監視装置４０から受信すると、画面情報を監視装置４０に返信する（Ｓ４０５）。監視装置４０は、監視記憶部４２に画面情報を記憶し、監視記憶部４２から画面情報を読み出し、表示部４３に画面を表示する（Ｓ４０６）。監視制御プログラム７０は画面情報を返信した後、監視装置４０からの監視情報の要求受信待ち受けの状態となる（Ｓ４０７）。監視装置４０は、監視情報を画面表示アプリケーション上に表示された画面に表示するため、監視制御プログラム７０に要求する（Ｓ４０８）。監視制御プログラム７０は監視情報の要求を受信すると、設定用端末３０に監視情報を要求する（Ｓ４０９）。
【００３８】
設定用端末３０は、監視情報の要求を受信すると、監視情報処理プログラム６０を起動する（Ｓ４１０）。監視情報処理プログラム６０は、設定用端末３０で起動するが、ネットワークで接続しているサーバ等で起動してもよい。監視情報処理プログラム６０は、多重化装置２０をモニタし（Ｓ４１１）、監視情報を受信する（Ｓ４１２）。監視情報処理プログラム６０は監視情報を受信すると、設定記憶部３２に記憶する（Ｓ４１３）。
【００３９】
監視情報処理プログラム６０は、設定記憶部３２から監視情報を読込み（Ｓ４１４）、その監視情報を画面情報となる画面表示文書に変換する（Ｓ４１５）。監視情報処理プログラム６０は、画面表示文書に変換した監視情報を設定記憶部３２に記憶する（Ｓ４１６）。設定用端末３０は、監視情報処理プログラム６０によって画面表示文書に変換した監視情報を設定記憶部３２から読込み監視制御プログラム７０に返信する（Ｓ４１７）。
【００４０】
監視制御プログラム７０は、監視情報を監視装置４０に送信する（Ｓ４１８）。監視装置４０は、設定用端末３０から監視情報を受信すると監視記憶部４２に監視情報を記憶し、（Ｓ４１９）、監視記憶部４２から監視情報を読み出し、画面表示アプリケーションの画面として表示部４３に表示する（Ｓ４２０）。その後、多重回線監視システム１は、Ｓ４１０からＳ４２０と同様の処理を定期的に行い、監視情報を監視する。上記の処理は画面表示アプリケーションを用いているが、監視情報が表示可能であれば他のものを用いてもよい。
【００４１】
本発明の効果の説明
上述したように本発明によると、多重回線監視システム１は、各拠点に設置してある複数の多重化装置の監視情報を、通信網を通じて監視装置４０に集約して一元的に管理することができる。本発明により、ユーザは常に最新の監視情報を多重化装置の監視拠点で一元的に監視することができる。そして、ネットワークを通じてユーザ以外の第三者が監視情報を監視することも可能となる。
【００４２】
本発明によると、多重回線監視システム１は、多重化装置２０と多重化装置２０の設定変更があった端末間の情報を取得・解析し、多重化構成を描画して表示可能となる。
また、多重回線監視システム１は、多重化装置２０の設定変更毎に、データを取得・反映する為、監視装置４０のデータ管理者が変更ごとにデータ作成をする必要がなく、管理が容易となる。さらに、多重回線監視システム１は、回線の新規構築・変更時に設定データを自動解析し、多重回線２３等のネットワーク管理者が簡易に全国規模の回線網を把握できる。さらにまた、多重回線監視システム１は、多重化装置２０側のデータ変更時に監視装置４０も自動更新が可能となるので、ネットワーク管理者のデータ更新作業が軽減できる。
【００４３】
その他の実施の形態
上記で説明した多重化装置の監視方法は、ＡＳＩＣ（Application Specific Integrated Circuit）を含む半導体処理装置を用いて実現されてもよい。また、これらの処理は、少なくとも１つのプロセッサ（e.g. マイクロプロセッサ、ＭＰＵ、ＤＳＰ（Digital Signal Processor））を含むコンピュータシステムにプログラムを実行させることによって実現されてもよい。具体的には、これらの送信信号処理又は受信信号処理に関するアルゴリズムをコンピュータシステムに行わせるための命令群を含む１又は複数のプログラムを作成し、当該プログラムをコンピュータに供給すればよい。
【００４４】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。
【００４５】
非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００４６】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４７】
上述した実施の形態は本件発明者により得られた技術思想の適用に関する例に過ぎない。すなわち、当該技術思想は、上述した実施の形態のみに限定されるものではなく、種々の変更が可能であることは勿論である。
【００４８】
例えば、上記の実施形態の一部又は全部は、以下の付記のようにも記載されうるが、以下には限られない。
（付記１）
通信回線の多重化を行う多重化装置と、
前記多重化装置と接続し前記多重化装置の設定を行う設定用端末と、
前記設定用端末と通信網を通じて接続し、前記多重化装置の監視をする監視装置とを備える多重回線監視システムであって、
前記監視装置は、前記設定用端末が記憶した前記多重化装置に関する第１の監視情報に変更があった場合に前記第１の監視情報に基づいて自身が有する第２の監視情報を更新する、
多重回線監視システム。
（付記２）
前記第２の監視情報は、設定用端末が前記多重化装置又は前記多重化装置に接続している端末の設定を変更した場合の接続情報と、前記多重化装置又は前記多重化装置に接続している前記端末に故障が発生した場合の故障情報とを含む、
付記１に記載の多重回線監視システム。
（付記３）
前記故障情報の更新があった場合に前記第１の監視情報に基づいて故障箇所を特定する、
付記２に記載の多重回線監視システム。
（付記４）
前記第２の監視情報の更新があった場合に、前記第１の監視情報に基づいて前記第２の監視情報を画面情報として表示する、
付記１〜３いずれか１項に記載の多重回線監視システム。
（付記５）
通信回線の多重化を行う多重化装置と接続して前記多重化装置の設定を行う設定用端末と通信網を通じて接続し、前記多重化装置の監視をする監視装置であって、
前記設定用端末が記憶した前記多重化装置に関する第１の監視情報に変更があった場合に前記第１の監視情報に基づいて自身が有する第２の監視情報を更新する、
監視装置。
（付記６）
前記第２の監視情報は、設定用端末が前記多重化装置又は前記多重化装置に接続している端末の設定を変更した場合の接続情報と、前記多重化装置又は前記多重化装置に接続している前記端末に故障が発生した場合の故障情報とを含む、
付記５に記載の監視装置。
（付記７）
前記故障情報の更新があった場合に前記第１の監視情報に基づいて故障箇所を特定する、
付記６に記載の監視装置。
（付記８）
前記第２の監視情報の更新があった場合に、前記第１の監視情報に基づいて前記第２の監視情報を画面情報として表示する、
付記５〜７いずれか１項に記載の監視装置。
（付記９）
設定用端末が記憶した多重化装置に関する第１の監視情報に変更があった場合に前記第１の監視情報に基づいて自身が有する第２の監視情報を更新する、
監視装置の制御方法。
（付記１０）
前記第２の監視情報は、設定用端末が前記多重化装置又は前記多重化装置に接続している端末の設定を変更した場合の接続情報と、前記多重化装置又は前記多重化装置に接続している前記端末に故障が発生した場合の故障情報とを含む、
付記９に記載の監視装置の制御方法。
（付記１１）
前記故障情報の更新があった場合に前記第１の監視情報に基づいて故障箇所を特定する、
付記１０に記載の監視装置の制御方法。
（付記１２）
前記第２の監視情報の更新があった場合に、前記第１の監視情報に基づいて前記第２の監視情報を画面情報として表示する、
付記９〜１１いずれか１項に記載の監視装置の制御方法。
（付記１３）
設定用端末が記憶した多重化装置に関する第１の監視情報に変更があった場合に前記第１の監視情報に基づいて自身が有する第２の監視情報を更新する、
監視装置の制御方法をコンピュータに実行させるプログラム。
（付記１４）
前記第２の監視情報は、設定用端末が前記多重化装置又は前記多重化装置に接続している端末の設定を変更した場合の接続情報と、前記多重化装置又は前記多重化装置に接続している前記端末に故障が発生した場合の故障情報とを含む、
付記１３に記載の監視装置の制御方法をコンピュータに実行させるプログラム。
（付記１５）
前記故障情報の更新があった場合に前記第１の監視情報に基づいて故障箇所を特定する、
付記１４に記載の監視装置の制御方法をコンピュータに実行させるプログラム。
（付記１６）
前記第２の監視情報の更新があった場合に、前記第１の監視情報に基づいて前記第２の監視情報を画面情報として表示する、
付記１３〜１５いずれか１項に記載の監視装置の制御方法をコンピュータに実行させるプログラム。
【符号の説明】
【００４９】
１  多重回線監視システム
２０  多重化装置
２１  多重化部
２２  多重化制御部
２３  多重回線
２４  端末回線
３０  設定用端末
３１  設定制御部
３２  設定記憶部
４０  監視装置
４１  監視制御部
４２  監視記憶部
４３  表示部
５０  端末
５５  ネットワーク（通信網）
６０  監視情報処理プログラム
７０  監視制御プログラム
【図１】
2014187471.tif 000003
【図２】
2014187471.tif 000004
【図３】
2014187471.tif 000005
【図４】
2014187471.tif 000006
【図５】
2014187471.tif 000007
【図６】
2014187471.tif 000008
【図７】
2014187471.tif 000009
【図８】
2014187471.tif 000010
【図９】
2014187471.tif 000011